(57)【要約】【課題】内炎式バーナ４の内径部に配置する汁受け皿９を確実に取り出せるようにする。【解決手段】皿本体９０の中央部に、皿本体の周囲の立上り部９１より高く立ち上がる突起９３を設け、突起９３を掴んで汁受け皿９を取り出せるようにする。突起９３を絞り成形で皿本体９０と一体に形成し、汁受け皿の剛性アップを図る。【選択図】  図２
2004232973.tif 000002
【特許請求の範囲】
【請求項１】
コンロに配置する環状の内炎式バーナの内径部の下方に着脱自在に設ける汁受け皿において、
皿本体の中央部に、汁受け皿の掴み部となる、閉塞された上端面を持つ突起を立設することを特徴とする内炎式バーナ用汁受け皿。
【請求項２】
前記突起の高さは、前記皿本体の周囲の立上り部の高さより高くなるように設定されていることを特徴とする請求項１に記載の内炎式バーナ用汁受け皿。
【請求項３】
前記突起は、絞り成形により前記皿本体と一体に形成されていることを特徴とする請求項１または２に記載の内炎式バーナ用汁受け皿。
【発明の詳細な説明】
【０００１】
【発明の属する技術分野】
本発明は、コンロに配置する環状の内炎式バーナ用の汁受け皿に関する。
【０００２】
【従来の技術】
コンロに環状の内炎式バーナを配置する場合、煮こぼれがバーナの内径部に落下する可能性があるため、バーナの内径部の下方に汁受け皿を設けて、煮こぼれを汁受け皿で受けられるようにしている（例えば、特許文献１参照。）。
【０００３】
汁受け皿は、掃除のために上方に取り出す必要がある。そこで、従来は、図３に示すように、汁受け皿ａの外周上縁に針金で形成されたアーチ状の把手ｂを起伏自在に軸支し、把手ｂを起こした状態で汁受け皿ａを上方に取り出すようにしている。
【０００４】
【特許文献１】
特許第２９０４６２７号公報（第２頁、図２）
【０００５】
【発明が解決しようとする課題】
上記従来例のものでは、バーナの炎が把手ｂに当たらないように、使用中、把手ｂを汁受け皿ａの周縁近傍部分に倒し込んでいる。ここで、煮こぼれは調理容器の底面を伝って汁受け皿ａに落下するが、煮こぼれが調理容器の底面中央部にまで達することは稀である。そのため、煮こぼれは汁受け皿の周縁近傍部分に落下することが多く、把手ｂに煮こぼれがかかりやすい。そして、煮こぼれの乾燥固化で把手ｂが汁受け皿ａにこびりつき、把手ｂを起立できなくなって、汁受け皿ａの取り上げが困難になることが間々ある。
【０００６】
本発明は、以上の点に鑑み、着脱性を確実に維持し得るようにした簡素な構造の内炎式バーナ用汁受け皿を提供することをその課題としている。
【０００７】
【課題を解決するための手段】
上記課題を解決するために、本発明は、コンロに配置する環状の内炎式バーナの内径部の下方に着脱自在に設ける汁受け皿において、皿本体の中央部に、汁受け皿の掴み部となる、閉塞された上端面を持つ突起を立設している。
【０００８】
上記の構成によれば、突起を指で掴んで汁受け皿を取り上げることができる。そして、従来の把手と異なり、煮こぼれの影響で突起を掴みにくくなることはなく、汁受け皿の着脱性は確実に維持される。尚、煮こぼれが調理容器の底面を伝ってその中央部から突起上に落下しても、突起の上端面は閉塞されているため、煮こぼれは汁受け皿で確実に捕捉される。
【０００９】
ここで、突起の高さは、これを掴むときに汁受け皿内の煮こぼれに指が触れることを可及的に回避できるように、皿本体の周囲の立上り部の高さより高く設定することが望ましい。
【００１０】
尚、突起を皿本体とは別部材として、皿本体に突起を溶接等で固着することも可能であるが、絞り成形で皿本体と一体に突起を形成すれば、汁受け皿の剛性が向上すると共に、部品点数を削減してコストダウンでき、有利である。
【００１１】
【発明の実施の形態】
図１は、コンロ本体１の上面に、セラミックガラス等の耐熱ガラスで形成される天板（以下、ガラス天板と記す）２を装着したドロップイン式のガラストップコンロを示している。ガラス天板２には、左右一対のコンロ開口３，３が開設されており、ガラス天板２の下側に、各コンロ開口３に臨ませて、図２に示す如く、内向きの炎孔部４ａを有する環状の内炎式バーナ４を配置し、バーナ４上に設けた火炎ガイド５を介してバーナ４の火炎ｆがコンロ開口３内に導かれるようにしている。尚、コンロ開口３の開口縁部には、割れ防止のための保護リング６が装着されている。
【００１２】
ガラス天板２上には、その手前側に、左右のバーナ４，４用の左右一対の操作摘み７，７が配置され、更に、左右一対のコンロ開口３，３に対応させて、調理容器Ｐを載置する左右一対の五徳８，８が載置されている。各五徳８の五徳本体８０は、周方向に間隔を存して配置した複数の五徳爪８１と、これら五徳爪８１を連結する環状の五徳枠８２とで構成されている。本実施形態では、五徳爪８１と五徳枠８２とを鉄系材料、例えば、ステンレスで一体に鋳造成形している。
【００１３】
五徳枠８２は、保護リング６を上方から隙間を存して覆うカバーリングに兼用されている。そして、五徳枠８２の下面に、コンロ開口３、即ち、保護リング６に比較的小さな隙間を存して挿入される筒状の突出部８３を突設し、五徳８がコンロ開口３に対し芯ずれ方向に動くことを、保護リング６への突出部８３の当接で規制できるようにしている。然し、五徳８がコンロ開口３の周方向に回動することは規制できず、五徳爪８１がガラス天板２に直接着座していると、五徳８の回動でガラス天板２に擦り傷が付く。
【００１４】
そこで、本実施形態では、各五徳爪８１のガラス天板２に対する着座部に真鍮製のスペーサ部材８４を取り付け、五徳爪８１がスペーサ部材８４を介してガラス天板２の上面に着座するようにしている。ここで、真鍮はガラスより低硬度であり、ガラス天板２にスペーサ部材８３による擦り傷は付きにくくなる。尚、アルミもガラスより低硬度であるため、スペーサ部材８３をアルミ製としても良いが、アルミは酸化しやすいため、真鍮製とすることが望ましい。
また、スペーサ部材８４をガラス天板２に点接触させたのでは、接触圧が大きくなって、擦り傷が付く可能性があり、そのため、スペーサ部材８４の下端を平坦面８４ａに形成し、スペーサ部材８４がガラス天板２に面接触するようにしている。
【００１５】
また、スペーサ部材８４は、六角柱状に形成されており、その上端に雄螺子８５を突設すると共に、五徳爪８１の下縁に雌螺子８６を形成し、スペーサ部材８４を五徳爪８１に螺着している。
【００１６】
前記バーナ４の内径部（バーナで囲われる空間）の下方には、内径部に落下する煮こぼれを受けさせるために、汁受け皿９が設けられている。汁受け皿９は、バーナ４に図示省略した複数箇所で固定される環状の支持枠１０に、皿本体９０の周囲の立上り部９１の上縁に形成した外曲げフランジ９２において着脱自在に支持されている。
【００１７】
汁受け皿９には、皿本体９０の中央部に位置させて、閉塞された上端面９３ａを持つ突起９３が立設されている。そして、突起９３を指で掴むことにより汁受け皿９を取り上げられるようにしている。本実施形態では、絞り成形で皿本体９０と一体に突起９３が形成されている。
【００１８】
突起９３の高さは、突起９３を掴む際に、汁受け皿９内の煮こぼれに指が触れることを可及的に回避できるように、皿本体９０の周囲の立上り部９１の高さより高く設定されている。
【００１９】
バーナ４の燃焼時は、内径部に生ずる負圧により、バーナ４と支持枠１０との間の隙間を通って炎孔部４ａに向かう図２に矢印ｘで示す如き二次空気流が生成される。ここで、突起９３の上端が開放されていると、突起９３の内周を介してバーナ４の内径部に空気が吸引され、炎孔部４ａに向かう二次空気量が減少して、燃焼性に悪影響が及ぶ。然し、本実施形態では、突起９３の上端面９３ａが閉塞されているため、かかる不具合は生じない。
【００２０】
また、煮こぼれが調理容器Ｐの底面を伝ってその中央部から突起９３上に落下しても、突起９３の上端面９３ａが閉塞されているため、煮こぼれは汁受け皿９で確実に捕捉される。
【００２１】
尚、突起９３を皿本体９０に後付けする別部材で構成することも可能であるが、本実施形態のように、突起９３を皿本体９０に絞り成形で一体に形成すれば、汁受け皿９の剛性を向上させて、且つ、コストダウンを図ることができ、有利である。
【００２２】
以上、ドロップイン式のガラストップコンロに設ける内炎式バーナ４の内径部に配置する汁受け皿９に本発明を適用した実施形態について説明したが、卓上式のコンロや天板を板金製とするコンロに設ける内炎式バーナ用の汁受け皿にも同様に本発明を適用できる。
【図面の簡単な説明】
【図１】本発明の実施形態の汁受け皿を備えるコンロの斜視図。
【図２】図１のコンロの要部の断面図。
【図３】従来の汁受け皿の斜視図。
【符号の説明】
４…内炎式バーナ  ４ａ…炎孔部  ９…汁受け皿  ９０…皿本体  ９１…周囲の立上り部  ９３…突起  ９３ａ…上端面
【図１】
2004232973.tif 000003
【図２】
2004232973.tif 000004
【図３】
2004232973.tif 000005